(57)【要約】【課題】２つのハンガーを平行にかつ分離可能に配置することにより、使い勝手がよく、かつ、重量物を掛けることができるハンガー連結構造体を提供する。【解決手段】第１のハンガー１００と第２のハンガー２００と、第１のハンガー１００と第２のハンガー２００を、略平行にかつ間隔あけて着脱可能に連結する連結部材３００とを備える。【選択図】図４
2014030651.tif 000002
【特許請求の範囲】
【請求項１】
第１のハンガーと、
第２のハンガーと、
上記第１のハンガーと上記第２のハンガーを、略平行にかつ間隔あけて着脱可能に連結する連結部材と
を備えたことを特徴とするハンガー連結構造体。
【請求項２】
請求項１に記載のハンガー連結構造体において、
上記第１のハンガーは、首部に設けられた連結用穴を有し、
上記第２のハンガーに一端が回動可能に取り付けられた上記連結部材の他端が、上記第１のハンガーの上記連結用穴に挿入されて上記首部に連結されることを特徴とするハンガー連結構造体。
【請求項３】
請求項２に記載のハンガー連結構造体において、
上記連結部材は、上記第１のハンガーと上記第２のハンガーとを連結した状態で、上記連結部材の一端は、上記第２のハンガーの首部の横部材に上側が開口した状態で係合する一方、上記連結部材の他端は、上記第１のハンガーの上記連結用穴の下縁部に嵌合していることを特徴とするハンガー連結構造体。
【請求項４】
請求項１から３までのいずれか１つに記載のハンガー連結構造体において、
上記第１のハンガーと上記第２のハンガーが上記連結部材を介して連結された状態で、上記第２のハンガーが上記第１のハンガーよりも低い位置にあることを特徴とするハンガー連結構造体。
【請求項５】
請求項１から４までのいずれか１つに記載のハンガー連結構造体において、
上記第１のハンガーまたは上記第２のハンガーのうちの少なくとも上記第１のハンガーは、本体下側に横方向に架けられた横架部を有し、
少なくとも上記第１のハンガーの上記横架部に、少なくとも２つの貫通穴を設け、上記貫通穴の間の部分を上記第２のハンガーのフック部を掛ける係止部としたことを特徴とするハンガー連結構造体。
【請求項６】
請求項１から４までのいずれか１つに記載のハンガー連結構造体において、
上記第１のハンガーまたは上記第２のハンガーの少なくとも一方は、本体下側に横方向に架けられた断面略円形の横架部を有し、
上記横架部を挟むように取り付けられたクリップを備え、
上記横架部に長手方向に溝が設けられると共に、
上記クリップが挟まれる上記横架部に、上記溝を分断するようにかつ上記横架部に長手方向に予め決められた間隔をあけて複数のリブを設け、
上記複数のリブの外周縁は、上記横架部の上記溝を除く外周面が含まれる円筒面に沿う形状をしていることを特徴とするハンガー連結構造体。
【請求項７】
請求項１から６までのいずれか１つに記載のハンガー連結構造体を備えたことを特徴とする洗濯機。
【発明の詳細な説明】
【技術分野】
【０００１】
この発明は、ハンガー連結構造体および洗濯機に関し、詳しくは２つのハンガーを着脱可能に連結するハンガー連結構造体およびそれを備えた洗濯機に関する。
【背景技術】
【０００２】
従来、ハンガー連結構造体としては、第１,第２のハンガーがリンク機構からなる開閉部により互いに分離不可かつ開閉可能に接続したものがある(例えば、特開２００３−２９９９００号公報(特許文献１)参照)。
【０００３】
ところが、上記ハンガー連結構造体では、リンク機構を用いているために構造が複雑な上に、第１,第２のハンガーが分離不可つまり着脱できないため、使い勝手が悪く、さらに、第１のハンガーと第２のハンガーが開いた状態では、第２のハンガーが第１のハンガーに対して平行ではなく、傾斜しているため、さらに使い勝手が悪く、かつ、第２のハンガーに比較的重い洗濯物を掛けることができないという問題がある。
【０００４】
特に、この従来のハンガー連結構造体を狭い洗濯機内で使おうとすると、使い勝手の悪さや重量物を掛けることができないとうことは重大な問題となる。
【先行技術文献】
【特許文献】
【０００５】
【特許文献１】特開２００３−２９９９００号公報
【発明の概要】
【発明が解決しようとする課題】
【０００６】
そこで、この発明の課題は、２つのハンガーを平行にかつ分離可能に配置することにより、使い勝手がよく、かつ、重量物を掛けることができるハンガー連結構造体およびそれを備えた洗濯機を提供することにある。
【課題を解決するための手段】
【０００７】
上記課題を解決するため、この発明のハンガー連結構造体は、
第１のハンガーと、
第２のハンガーと、
上記第１のハンガーと上記第２のハンガーを、略平行にかつ間隔あけて着脱可能に連結する連結部材と
を備えたことを特徴とする。
【０００８】
上記構成によれば、リンク機構を用いない連結部材を用いているので、構造が簡単かつ安価であり、さらに、第１のハンガーと第２のハンガーを、略平行にかつ間隔あけて連結部材により着脱可能つまり分離可能に連結するので、必要に応じて第１のハンガーと第２のハンガーを連結または分離できて使い勝手がよく、かつ、第２のハンガーが第１のハンガーと平行であるが、第２のハンガーに第１のハンガーと同様に重い洗濯物を掛けることができる。
【０００９】
また、一実施形態のハンガー連結構造体では、
上記第１のハンガーは、首部に設けられた連結用穴を有し、
上記第２のハンガーに一端が回動可能に取り付けられた上記連結部材の他端が、上記第１のハンガーの上記連結用穴に挿入されて上記首部に連結される。
【００１０】
上記実施形態によれば、第２のハンガーに一端が回動可能に取り付けられた連結部材の他端が、第１のハンガーの首部に設けられた連結用穴に挿入されて首部に連結されることによって、簡単な構成で第１のハンガーと第２のハンガーを、略平行にかつ間隔あけて着脱可能に連結することができる。
【００１１】
また、一実施形態のハンガー連結構造体では、
上記連結部材は、上記第１のハンガーと上記第２のハンガーとを連結した状態で、上記連結部材の一端は、上記第２のハンガーの首部の横部材に上側が開口した状態で係合する一方、上記連結部材の他端は、上記第１のハンガーの上記連結用穴の下縁部に嵌合している。
【００１２】
上記実施形態によれば、第１のハンガーと第２のハンガーを連結した状態で、連結部材の他端により第１のハンガーの連結用穴の下縁部に嵌合しているので、第１のハンガーにより連結部材の他端を確実に支持すると共に、連結部材の一端が第２のハンガーの首部の横部材に上側が開口した状態で係合するので、連結部材により第２のハンガーを確実に支持することができる。
【００１３】
また、一実施形態のハンガー連結構造体では、
上記第１のハンガーと上記第２のハンガーが上記連結部材を介して連結された状態で、上記第２のハンガーが上記第１のハンガーよりも低い位置にある。
【００１４】
上記実施形態によれば、第２のハンガーが第１のハンガーよりも低い位置にあるから、例えば、乾燥機能を備えた洗濯機の上蓋にハンガー連結構造体を掛けた場合、上蓋が閉じられて傾斜した状態でも、第２のハンガーと上蓋とが干渉するのを防止できる。
【００１５】
また、一実施形態のハンガー連結構造体では、
上記第１のハンガーまたは上記第２のハンガーのうちの少なくとも上記第１のハンガーは、本体下側に横方向に架けられた横架部を有し、
少なくとも上記第１のハンガーの上記横架部に、少なくとも２つの貫通穴を設け、上記貫通穴の間の部分を上記第２のハンガーのフック部を掛ける係止部とした。
【００１６】
上記実施形態によれば、少なくとも第１のハンガーの横架部に、少なくとも２つの貫通穴を設けることによって、洗濯物を掛けて乾燥させる時に横架部の貫通穴を乾燥空気が上下方向に通過できるので、乾燥効率が向上する。
【００１７】
また、第１のハンガーの横架部の貫通穴の間に形成された係止部に、第２のハンガーのフック部を掛けることによって、第１のハンガーと第２のハンガーが上下方向にかつ同一平面上に配列されるようにしたので、例えば洗濯機の側面に設けられたフックに、第１のハンガーと第２のハンガーが上下方向にかつ同一平面上に配列されたハンガー連結構造体を掛けることによって、洗濯機の側面と隣接する壁などとの間の距離が短い狭空間にハンガー連結構造体を収納することが可能になる。
【００１８】
また、一実施形態のハンガー連結構造体では、
上記第１のハンガーまたは上記第２のハンガーの少なくとも一方は、本体下側に横方向に架けられた断面略円形の横架部を有し、
上記横架部を挟むように取り付けられたクリップを備え、
上記横架部に長手方向に溝が設けられると共に、
上記クリップが挟まれる上記横架部に、上記溝を分断するようにかつ上記横架部に長手方向に予め決められた間隔をあけて複数のリブを設け、
上記複数のリブの外周縁は、上記横架部の上記溝を除く外周面が含まれる円筒面に沿う形状をしている。
【００１９】
上記実施形態によれば、第１のハンガーまたは第２のハンガーの少なくとも一方の本体下側に横方向に架けられた断面略円形の横架部に、樹脂成形時の肉厚を均一にするために長手方向に溝を設けて、その横架部を挟むように取り付けられたクリップにより挟まれる横架部に、溝を分断するようにかつ横架部に長手方向に予め決められた間隔をあけて複数のリブを設ける。この複数のリブの外周縁が横架部の溝を除く外周面が含まれる円筒面に沿う形状をしていることによって、小さな力でクリップをスムーズに開くことができる。
【００２０】
また、この発明の洗濯機では、
上記のいずれか１つのハンガー連結構造体を備えたことを特徴とする。
【００２１】
上記構成によれば、着脱可能に連結された２つの略平行な第１,第２のハンガーに夫々洗濯物を掛けて干すことが容易にできる使い勝手のよいハンガー連結構造体を備えるので、狭い洗濯槽内に多くの洗濯物を掛ける上で使い勝手がよく、かつ、スーツなどの重量物を干すことができる。
【発明の効果】
【００２２】
以上より明らかなように、この発明によれば、簡単な構成で、使い勝手がよく、かつ重量物を干すことができる。ハンガー連結構造体を実現することができる。
【００２３】
また、この発明によれば、乾燥空気を洗濯槽内に供給する機能を備えた洗濯機において、狭い洗濯槽内で多くの洗濯物を乾燥させる上で、使い勝手のよい洗濯機を実現することができる。
【図面の簡単な説明】
【００２４】
【図１】図１はこの発明の実施の一形態のハンガー連結構造体の斜視図である。
【図２】図２は図１のII−II線から見たハンガー連結構造体の断面図である。
【図３】図３は図１のIII−III線から見たハンガー連結構造体の断面図である。
【図４】図４は上記ハンガー連結構造体の第１,第２のハンガーが上下方向に配置された状態の斜視図である。
【図５】図５は図４のＶ−Ｖ線から見たハンガー連結構造体の断面図である。
【図６】図６は上記第２のハンガーの要部断面図である。
【図７】図７は上記ハンガー連結構造体の第１,第２のハンガーが上下方向に配置された状態の斜視図である。
【図８】図８は図７のVIII−VIII線から見たハンガー連結構造体の断面図である。
【図９】図９は図８のIX−IX線から見たハンガー連結構造体の断面図である。
【図１０】図１０は上記ハンガー連結構造体を用いた洗濯機の断面図である。
【発明を実施するための形態】
【００２５】
以下、この発明のハンガー連結構造体を図示の実施の形態により詳細に説明する。
【００２６】
図１はこの発明の実施の一形態のハンガー連結構造体を説明するための斜視図を示している。
【００２７】
このハンガー連結構造体は、図１に示すように、合成樹脂製の第１のハンガー１００と、合成樹脂製の第２のハンガー２００と、第１のハンガー１００と第２のハンガー２００を、略平行にかつ間隔あけて着脱可能に連結する合成樹脂製の連結部材３００とを備えている。
【００２８】
上記第１のハンガー１００は、フック部１０１と、フック部１０１の下側に設けられた首部１０２と、首部１０２の両側から斜め下方かつ外側に向かって延びるショルダー部１０３,１０３(図４に示す)と、ショルダー部１０３,１０３の下端間に架けられた横架部１０４とを有している。上記第１のハンガー１００の首部１０２に連結用穴１０２aを設けている。このフック部１０１と首部１０２とショルダー部１０３,１０３と横架部１０４を有する第１のハンガー１００は、樹脂成形により一体に形成されている。
【００２９】
また、上記第２のハンガー２００は、フック部２０１と、フック部２０１の下側に設けられた首部２０２と、首部２０２の両側から斜め下方かつ外側に向かって延びるショルダー部２０３,２０３と、ショルダー部２０３,２０３の下端間に架けられた横架部２０４とを有している。また、第２のハンガー２００は、首部２０２の両側から下方に延びて横架部２０４に接続された補強部２０５,２０５を有している。このフック部２０１と首部２０２とショルダー部２０３,２０３と横架部２０４と補強部２０５,２０５を有する第２のハンガー２００は、樹脂成形により一体に形成されている。
【００３０】
また、上記第２のハンガー２００の横架部２０４に、横架部２０４を挟むように、洗濯バサミ状のクリップ４００,４００を取り付けている。
【００３１】
図１に示すように、第２のハンガー２００に一端が回動可能に取り付けられた連結部材３００の一端が、第１のハンガー１００の連結用穴１０２aの下縁部に嵌合することにより、第１のハンガー１００と第２のハンガー２００を連結部材３００を介して連結している。
【００３２】
図２は図１のII−II線から見たハンガー連結構造体の断面図を示している。
【００３３】
図２に示すように、第２のハンガー２００の横架部２０４を挟むようにクリップ４００を取り付けている。このクリップ４００は、２つの挟持板４０１,４０１をＵ字形状の弾性バネ部材４０２により連結し、横架部２０４を中心に回動させ、洗濯物などを挟むように挟持板４０１,４０１の先端を弾性バネ部材４０２で付勢している。
【００３４】
また、第２のハンガー２００の横架部２０４には、両側面に溝２１１,２１２を設けると共に、リブ２１０を設けている。このリブ２１０は、横架部２０４の長手方向に予め決められた間隔をあけて設けている。このリブ２１０によって、横架部２０４の両側面の溝２１１,２１２は夫々、複数に分断されている。
【００３５】
この第２のハンガー２００の横架部２０４の溝２１１,２１２は、良好な樹脂成形を行うために必要なものである。
【００３６】
図３は図１のIII−III線から見たハンガー連結構造体の上記連結部材３００の部分を含めた断面図を示している。
【００３７】
図３に示すように、連結部材３００は、第２のハンガー２００の首部２０２の下側の円柱形状の横部材２０２aに回転可能に嵌合した回転嵌合凹部３０１と、その回転嵌合凹部３０１から延びる基部３０２と、基部３０２の回転嵌合凹部３０１と反対側の端部に設けられた断面コの字状の嵌合凹部３０３と、基部３０２に沿って回転嵌合凹部３０１,嵌合凹部３０３間に立設された２つのリブ３０４(図３では１つのみを示す)とを有する。回転嵌合凹部３０１は、横部材２０２aに対して回転可能とするため、図３に示すように断面円形状をしており、その断面円形状の一部が横部材２０２aに嵌合させるために開口している。
【００３８】
ハンガー連結構造体は、上記第１のハンガー１００の連結用穴１０２aの下縁に、連結部材３００の断面コの字状の嵌合凹部３０３が嵌合することにより、第１のハンガー１００と第２のハンガー２００を略平行にかつ間隔あけて連結している。
【００３９】
図４は上記ハンガー連結構造体の第１,第２のハンガー１００,２００が上下方向に配置された状態の斜視図を示している。図４において、図１と同一の構成部には同一参照番号を付している。
【００４０】
このハンガー連結構造体は、図４に示すように、第１のハンガー１００の横架部１０４に、空気が上下方向に通過できる長穴形状の少なくとも２つの貫通穴１０５,１０５を設けている。
【００４１】
この貫通穴１０５,１０５を設ける目的は、空気の流れ、循環を良好にし、ハンガーに掛けられた洗濯物に常に新鮮が空気を送り込み、洗濯物の乾燥効率を上げるためである。つまり、横架部１０４で、洗濯物で覆われたハンガー内に空気の流れが遮断されることがある。これを解消するためにも、横架部１０４に貫通穴１０５を設けることで、空気の流れ、流通を良好にでき、乾燥を良好に、乾燥効率を上げることができる。
【００４２】
また、この貫通穴１０５は２個でなく、それ以上設けることもできる。上記第１のハンガー１００の横架部１０４に設けられた貫通穴１０５,１０５との間は、第２のハンガー２００のフック部２０１を掛ける係止部(図９に示す１０６)の役割を果たす。この貫通穴１０５,１０５の係止部に、第２のハンガー２００のフック部２０１を掛けることによって、第１のハンガー１００と第２のハンガー２００が図４に示すように上下方向に配列される。
【００４３】
また、上記第２のハンガー２００の首部２０２と補強部２０５,２０５との間に、連結部材３００を収納する収納部を構成する。図４はその収納状態を示している。
【００４４】
図５は図４のＶ−Ｖ線から見た第１,第２のハンガー１００,２００の断面図を示しており、図６は上記第２のハンガー２００の要部断面図を示している。図５,図６において、図３と同一の構成部には同一参照番号を付している。以下に連結部材３００の収納構成について説明する。
【００４５】
図５,図６に示すように、連結部材３００の断面コの字状の嵌合凹部３０３は、第２のハンガー２００の横架部２０４に設けられた凹部２０４aに先端の一部が当接し係合するようにして収容されている。これにより、第２のハンガー２００内に連結部材３００が収容された状態になるので、厚さを薄くできる。また、連結部材３００の非使用時に、邪魔にならないようにし、第２のハンガーを単独で使用できる。
【００４６】
図７は図４に示した上記ハンガー連結構造体の収納時の正面図を示している。また、図８は図７のVIII−VIII線から見たハンガー連結構造体の断面図を示している。図７,図８において、図４と同一の構成部には同一参照番号を付している。
【００４７】
さらに、図９は図７のIX−IX線から見たハンガー連結構造体の断面図を示している。
【００４８】
図９に示すように、第１のハンガー１００の横架部１０４に設けられた貫通穴１０５,１０５に、第２のハンガー２００のフック部２０１を通して、貫通穴１０５,１０５間の係止部１０６に掛けることによって、第１のハンガー１００と第２のハンガー２００が上下方向に配列されている。
【００４９】
上記構成のハンガー連結構造体によれば、リンク機構を用いない連結部材３００を用いているので、構造が簡単かつ安価であると共に、第１のハンガー１００と第２のハンガー２００を、略平行にかつ間隔あけて連結部材３００により着脱可能つまり分離可能に連結するので、必要に応じて第１のハンガー１００と第２のハンガー２００を連結または分離できて使い勝手がよく、かつ、第２のハンガー２００が第１のハンガー１００と平行であるが、第２のハンガー２００に第１のハンガー１００と同様に重い洗濯物を掛けることができる。
【００５０】
したがって、第１,第２のハンガー１００,２００を平行にかつ分離可能に配置することにより、それぞれを単独で使用することもでき、非常に使い勝手がよく、かつ、重量物を掛けることができる。
【００５１】
また、上記第２のハンガー２００に一端が回動可能に取り付けられた連結部材３００の他端が、第１のハンガー１００の首部１０２に設けられた連結用穴１０２aに挿入されて首部１０２に連結されることによって、簡単な構成で第１のハンガー１００と第２のハンガー２００を、略平行にかつ間隔あけて着脱可能に連結することができる。
【００５２】
ここで、連結部材３００は、図３に示すように一端側の回転嵌合凹部３０１の断面が一部開口された円形状で、円柱形状の横部材２０２ａに回転可能に嵌合されている。また、連結部材３００の他端側の嵌合凹部３０１は、断面がコ字形状に形成され、このコ字形状の開口部が第１のハンガー１００の連結用穴１０２ａの下縁部に嵌り込むため、第１のハンガー１００のフック部１０１を掛けた状態で、第２のハンガー２００は回転することなく、確実に連結部材３００の長さに相当する間隔で平行に保持される。なお、連結部材３００の回転嵌合凹部３０１は、第２のハンガー２００の横部材２０２aに開口部を合わせ、樹脂の弾性変形を利用して嵌め込むことで、回転可能に保持され、離脱することがないようにしている。
【００５３】
また、上記第２のハンガー２００が第１のハンガー１００よりも低い位置にあるから、例えば、乾燥機能を備えた洗濯機の上蓋にハンガー連結構造体を掛けた場合、上蓋が閉じられて傾斜した状態でも、第２のハンガー２００と上蓋とが干渉するのを防止できる。つまり、連結部材３００による連結構造において、回転嵌合凹部３０１は、第２のハンガー２００の首部２０２の上部、つまり開口された上位置に回転可能に横部材２０２aに保持されている。そして、連結部材３００の嵌合凹部３０３は、第１のハンガー１００の嵌合穴１０２aの下縁部に嵌合される形態である。そのため、連結部材３００で第１、第２のハンガー１００、２００を連結すれば、フック部１０１が上位置になり、フック部２０２が下位置になる。
【００５４】
また、図３に示すように、第１のハンガー１００と第２のハンガー２００を連結した状態で、連結部材３００の他端が第１のハンガー１００の連結用穴１０２aの下縁部に嵌合しているので、第１のハンガー１００により連結部材３００の他端を確実に支持すると共に、連結部材３００の一端が第２のハンガー２００の首部２０２の横部材２０２aに上側が開口した状態で係合するので、連結部材３００により第２のハンガー２００を確実に支持することができる。つまり、第１のハンガー１００側に嵌合された連結部材３００は、回転を阻止された状態であり、この連結部材３００の回転嵌合凹部３０１の開口が上になるため、第１のハンガー１００と、第２のハンガー２００とを平行に、一定の間隔を保って支持することができる。
【００５５】
また、図４,図９に示すように、第１のハンガー１００の横架部１０４に、空気が上下方向に通過できる貫通穴１０５,１０５を設けることによって、洗濯物を掛けて乾燥させる時に横架部１０４の貫通穴１０５,１０５を乾燥空気が上下方向に通過することができるので、乾燥効率が向上する。
【００５６】
また、図９に示すように、第１のハンガー１００の横架部１０４の貫通穴１０５,１０５の間の部分は、ハンガーのフック部を掛ける係止部１０６としての機能を果たせる。そのために、第２のハンガー２００のフック部２０１を掛けることによって、第１のハンガー１００と第２のハンガー２００が上下方向にかつ同一平面上に配列されるようにしたので、例えば洗濯機の側面に設けられたフックに、第１のハンガー１００と第２のハンガー２００が上下方向にかつ同一平面上に配列されたハンガー連結構造体を掛けることによって、洗濯機の側面と隣接する壁などとの間の距離が短い狭空間にハンガー連結構造体を収納することが可能になる。
【００５７】
また、図２に示すように、第２のハンガー２００の本体下側に横方向に架けられた断面略円形の横架部２０４に、樹脂成形時の肉厚を均一にするために長手方向に溝２１１,２１２を設けて、その横架部２０４を挟むように取り付けられたクリップにより挟まれる横架部２０４に、溝２１１,２１２を分断するようにかつ横架部２０４に長手方向に予め決められた間隔をあけて複数のリブ２１０を設ける。この複数のリブ２１０の外周縁が横架部２０４の溝を除く外周面が含まれる円筒面に沿う形状をしていることによって、小さな力でクリップ４００,４００をスムーズに開くことができる。
【００５８】
なお、上記実施の形態では、第２のハンガー２００にクリップ４００,４００を取り付けたが、第１のハンガー１００にクリップを取り付けてもよいし、第１,第２のハンガーの両方にクリップを取り付けてもよい。この場合、クリップを取り付けるハンガーの横架部に、リブ２１０と同様のリブを設けている。このリブは、横架部の長手方向に予め決められた間隔をあけて設ける。
【００５９】
次に、上述した構成のハンガー連結構造体を洗濯機で実際に利用する形態について以下に説明する。図１０はその一例を示す図であり、上記ハンガー連結構造体を用いた洗濯機の断面図を示している。
【００６０】
図１０に示すように、洗濯機は、金属または合成樹脂製の本体ケーシング１を備える。本体ケーシング１は直方体形状に成形され、その上面および底面は開口部となっている。本体ケーシング１の上面開口部には操作パネル５等が設けられた合成樹脂製の上面板１１が固定されている。本体ケーシング１の底面開口部には、合成樹脂製のベース１２が固定されている。
【００６１】
上面板１１に洗濯機内に洗濯物を投入するための洗濯物投入口１aを設けている。その洗濯物投入口１aを開閉する上蓋４を、洗濯機の奧側で上面板１１に回動可能に支持している。上蓋４を上下に回動させて洗濯物投入口１aを開閉する。
【００６２】
本体ケーシング１内には、洗濯槽３とその洗濯槽３を収納する水槽２を収容している。洗濯槽３は、洗剤を溶かした水またはすすぎ用の水を溜める。水槽２および洗濯槽３は、上側が開口した有底筒状のカップの形状をしており、各々中心軸を垂直にして、水槽２を外側とし、洗濯槽３を内側とする形で同軸に配置されている。
【００６３】
洗濯槽３の上部開口部の縁に、洗濯物の脱水のため洗濯槽３を高速回転させたときに振動を抑制する働きをする環状のバランサ２０を装着している。洗濯槽３内の底面に撹拌翼２１を回転可能に配置している。
【００６４】
また、本体ケーシング１内の水槽２の下側に、モータ３１とクラッチ・ブレーキ機構３２とを有する駆動ユニット３０を取り付けている。
【００６５】
また、上記洗濯機は、本体ケーシング１内の上側かつ後面側にヒータにより加熱した乾燥用空気を洗濯槽３内に供給する乾燥空気送風部６を備えている。特に、乾燥空気送風部６は、洗濯槽３へと乾燥空気を吐出する吹出部６aと、その吹出部６aよりも上位置に洗濯槽３内の湿った空気を吸引する吸引部６bを備える。さらに、乾燥効率を上げるために、水槽２の上端部と上面板１１との間を連結する環状の蛇腹状の弾性体７が取り付けられる。これにより、水槽２を含め洗濯槽３と上蓋４との間の空間を気密状態にし、乾燥効率を上げることができる。また、上蓋４からの下部を乾燥空間として利用できる。
【００６６】
上記構成の洗濯機において、上蓋４の洗濯槽３に対向する側(下面)にハンガー取り付け部４a,４bを設けている。このハンガー取り付け部４a,４bの両方に、図１に示すハンガー連結構造体を掛けることによって、乾燥空気を洗濯槽内に供給する乾燥空気送風部６を備えた洗濯機では、狭い洗濯槽内に多くの洗濯物を干して、乾燥させることができる。
【００６７】
また、上記第２のハンガー２００は第１のハンガー１００よりも低い位置にあるので、洗濯機の上蓋４にハンガー連結構造体を掛けた場合、上蓋４が閉じられて傾斜した状態でも、第２のハンガー２００と上蓋４とが干渉するのを防止できる。なお、本発明のハンガー連結構造体は、ハンガー取り付け部４ａ,４ｂの両方に掛けることなく、いずれか一方に掛けて、洗濯物等の乾燥を行うこともできる。
【００６８】
上記実施の形態では、ハンガー連結構造体を備えた洗濯機について説明したが、ハンガー連結構造体はこれに限らず、ハンガー連結構造体のみで使用してもよい。
【００６９】
この発明の具体的な実施の形態について説明したが、この発明は上記実施の形態に限定されるものではなく、この発明の範囲内で種々変更して実施することができる。
【符号の説明】
【００７０】
１…本体ケーシング
２…水槽
３…洗濯槽
４…上蓋
５…操作パネル
６…乾燥空気送風部
７…弾性体
１１…上面板
１２…ベース
２０…バランサ
３０…駆動ユニット
３１…モータ
３２…クラッチ・ブレーキ機構
１００…第１のハンガー
１０１…フック部
１０２…首部
１０２a…連結用穴
１０３,１０３…ショルダー部
１０４…横架部
１０５…貫通穴
２００…第２のハンガー
２０１…フック部
２０２…首部
２０３,２０３…ショルダー部
２０４…横架部
２０５,２０５…補強部
２１０…リブ
２１１,２１２…溝
３００…連結部材
３０１…回転嵌合凹部
３０２…基部
３０３…嵌合凹部
３０４…リブ
４００…クリップ
４０１,４０１…挟持板
４０２…弾性バネ部材
【図１】
2014030651.tif 000003
【図２】
2014030651.tif 000004
【図３】
2014030651.tif 000005
【図４】
2014030651.tif 000006
【図５】
2014030651.tif 000007
【図６】
2014030651.tif 000008
【図７】
2014030651.tif 000009
【図８】
2014030651.tif 000010
【図９】
2014030651.tif 000011
【図１０】
2014030651.tif 000012